(57)【要約】      （修正有）【課題】安定に眼鏡の保持を行うことができ、使用者の鼻への負担を軽減することができ、かつ保持具に、永久磁石あるいは赤外線発生物質を付加して、使用者への健康増進を行うことが可能な第２のフレームに保持具を配置した眼鏡を提供する。【解決手段】左右のレンズ枠６と、レンズ枠内６に装着されたレンズ７と、左右のレンズ枠６から、両側の蝶番９を介して配置された左右の第１のフレーム１と、第１のフレーム１から分岐されて、眼鏡の内側の向きに設置された左右の第２のフレーム２と、左右の第２のフレーム２に固定された保持具５とで構成され、保持具５は、保持パット部３と固定部４とで構成され、第２のフレーム２の保持具５が、使用者のほお骨、こめかみに当たり、第１のフレーム１の耳あて部１ａが、使用者の耳に保持されて、眼鏡が、固定される。【選択図】図１
2015206863.tif 000002
【特許請求の範囲】
【請求項１】
左右のレンズ枠と、前記レンズ枠内に装着されたレンズと、
左右のレンズ枠から、両側の蝶番を介して配置された左右の第１のフレームと、
前記第１のフレームから分岐されて、眼鏡の内側の向きに、設置された左右の第２のフレームと、
前記左右の第２のフレームに固定された保持具とで構成された第２のフレームに保持具を配置した眼鏡であって、
前記保持具は、保持パット部と固定部とで構成され、
前記第２のフレームの保持具が、使用者のほお骨、あるいは、こめかみに当たり、前記第１のフレームの耳かけ部が、使用者の耳に保持されて、前記眼鏡が、固定されたことを特徴とする第２のフレームに保持具を配置した眼鏡。
【請求項２】
前記第２のフレームは、前記第１のフレームの蝶番近傍の前部固定部と、
前記第１のフレームの耳かけ部の手前の後部固定部とで固定されたことを特徴とする
請求項１記載の第２のフレームに保持具を配置した眼鏡。
【請求項３】
前記第２のフレームと、前記第１のフレームとの間隔は、５ｍｍ以上から、１５ｍｍ以下の範囲に設定されたことを特徴とする請求項１または２記載の第２のフレームに保持具を配置した眼鏡。
【請求項４】
前記第２のフレームに保持具が、スライド可能な状態で固定され、
前記保持具には、前記の第２のフレームの長手方向にて、位置、および回転角度が調整されるための調整機構が設けられたことを特徴とする請求項１ないし３のいずれか１項記載の第２のフレームに保持具を配置した眼鏡。
【請求項５】
前記第２のフレームは、眼鏡の内側方向に向かって、ばね性を有したことを特徴とする請求項１ないし４のいずれか１項記載の第２のフレームに保持具を配置した眼鏡。
【請求項６】
前記第２のフレームは、材質を、弾性を持つプラスチック、あるいは、ステンレスなどの金属とすることを特徴とする請求項１ないし５のいずれか１項記載の第２のフレームに保持具を配置した眼鏡。
【請求項７】
前記保持具の保持パットに、永久磁石、あるいは赤外線発生物質が配置されたことを特徴とする請求項１ないし６のいずれか１項記載の第２のフレームに保持具を配置した眼鏡。
【発明の詳細な説明】
【技術分野】
【０００１】
本発明は、第１のフレームの横側面に、第２のフレームが配置され、前記第２のフレームには、保持具が配置されて、前記保持具が、使用者のほお骨、あるいは、こめかみに当たり、また、前記第１のフレームの耳あて部が、使用者の耳に保持されて固定される、第２のフレームに保持具を配置した眼鏡に関する。
【背景技術】
【０００２】
従来の眼鏡は、レンズ枠に装着された、両側の鼻当てパットが使用者の鼻に固定され、
両側のフレームの端部が、使用者の耳部に固定されて、使用者の顔に固定されている。
図５は、従来の鼻当てパットを有する眼鏡の図である。図５の従来の、鼻当てパットを有する眼鏡は、左右のレンズ枠１１と、前記レンズ枠内に装着されたレンズ６１と、左右のレンズ枠１１から、両側の蝶番５１を介して配置された左右のフレーム４１と、左右のレンズ枠１１を連結しているブリッジ２１と、前記左右のレンズ枠１１に接続された鼻当てパットの保持部８１と、前記鼻当てパットの保持部８１の先端に、可動域を持つように配置された鼻当てパット７１とで構成されている。前記の可動域が必要な理由は、使用者の顔の鼻の左右の斜面に、前記鼻当てパット７１の平面が密着するようにするためである。
【０００３】
また、図６は、従来の鼻当てパットを有する眼鏡図５を、使用者が装着した図である。図６のように、鼻当てパットを有するめがねの固定は、左右のフレーム４１の端部が使用者の耳に固定され、左右の鼻当てパット７１が、使用者の鼻の両側側面に固定され、合計４個所の固定である。使用者の鼻の左右の傾斜をもつ面に、めがねのレンズ枠に配置された左右の２個の鼻パットを密着することが必須の構造である。
【０００４】
他の眼鏡の例として、特許文献１の眼鏡が、開示されている。特許文献１のずり落ち防止眼鏡フレームは、フレームに、ずり落ち止め部品が固定されていて、前記ずり落ち止め部品と、フレームの耳かけ部によって、眼鏡が固定される。
【先行技術文献】
【特許文献】
【０００５】
【特許文献１】特開２００２−５５３１４号公報
【発明の概要】
【発明が解決しようとする課題】
【０００６】
従来のめがねは、使用者の鼻の左右の傾斜をもつ面に、めがねのレンズ枠に配置された左右の２個の鼻パットを密着することが必要であって、前記左右の２個の鼻パットは、可変に動くように、可変機構を設ける必要があった。また、左右のフレームの耳での保持と、前記鼻パットによる、鼻の左右の傾斜での保持による、４点保持であって、機械的には、不安定となりやすい固定方法であった。
【０００７】
特許文献１のめがねでは、ずり落ち止め部品が、使用者のこめかみ部に、正確に密着することが困難であり、そのため、眼鏡の固定状態が、不安定である問題点があった。
【０００８】
本発明の課題は、安定に眼鏡の保持を行うことができ、使用者の鼻への負担を軽減することができ、かつ保持具に永久磁石あるいは赤外線発生物質を付加して、使用者への健康増進を行うことも可能な第２のフレームに保持具を配置した眼鏡を提供することである。
【課題を解決するための手段】
【０００９】
本発明の請求項１に係る発明は、左右のレンズ枠と、前記レンズ枠内に装着されたレンズと、左右のレンズ枠から、両側の蝶番を介して配置された左右の第１のフレームと、
前記第１のフレームから分岐されて、眼鏡の内側の向きに設置された左右の第２のフレームと、前記左右の第２のフレームに固定された保持具とで構成された第２のフレームに保持具を配置した眼鏡であって、前記保持具は、保持パット部と固定部とで構成され、前記第２のフレームの保持具が、使用者のほお骨、こめかみに当たり、前記第１のフレームの耳あて部が、使用者の耳に保持されて、前記眼鏡が、固定されたことを特徴とする第２のフレームに保持具を配置した眼鏡である。
【００１０】
本発明の請求項２に係る発明は、前記第２のフレームは、前記第１のフレームの蝶番近傍の前部固定部と、前記第１のフレームの耳かけ部の手前の後部固定部とで固定されたことを特徴とする請求項１記載の第２のフレームに保持具を配置した眼鏡である。
【００１１】
本発明の請求項３に係る発明は、前記第２のフレームと、前記第１のフレームとの間隔は、５ｍｍ以上から、１５ｍｍ以下の範囲に設定されたことを特徴とする請求項１または２記載の第２のフレームに保持具を配置した眼鏡である。
間隔が５ｍｍ未満であると、保治具を、使用者のこめかみ部分に、十分な圧着することが困難となり、間隔が、１５ｍｍを超えると、眼鏡の全体の幅が大きくなる問題がある。
【００１２】
本発明の請求項４に係る発明は、前記第２のフレームに保持具が、スライド可能な状態で固定され、前記保持具には、前記の第２のフレームの長手方向にて、位置が調整されるための調整機構が設けられたことを特徴とする請求項１ないし３のいずれか１項記載の第２のフレームに保持具を配置した眼鏡である。
【００１３】
本発明の請求項５に係る発明は、前記第２のフレームは、眼鏡の内側方向に向かって、ばね性を有したことを特徴とする請求項１ないし４のいずれか１項記載の第２のフレームに保持具を配置した眼鏡である。
【００１４】
本発明の請求項６に係る発明は、前記第２のフレームは、材質を、弾性を持つプラスチック、あるいは、ステンレスなどの金属とすることを特徴とする請求項１ないし５のいずれか１項記載の第２のフレームに保持具を配置した眼鏡である。
【００１５】
本発明の請求項７に係る発明は、前記保持具の保持パットに、永久磁石、あるいは赤外線発生物質が配置されたことを特徴とする請求項１ないし６のいずれか１項記載の第２のフレームに保持具を配置した眼鏡である。
【発明の効果】
【００１６】
請求項１に係る第２のフレームに保持具を配置した眼鏡によれば、安定に眼鏡の保持を行うことができ、使用者の鼻への負担を軽減することができる。
【００１７】
請求項２に係る第２のフレームに保持具を配置した眼鏡によれば、第２のフレームを、案定して第１のフレームに固定することができる。
【００１８】
請求項３に係る第２のフレームに保持具を配置した眼鏡によれば、適切な第２のフレームの位置を設定することができる。
【００１９】
請求項４に係る第２のフレームに保持具を配置した眼鏡によれば、保治具の位置、回転角度を調整することができ、安定して眼鏡を固定できる。
【００２０】
請求項５に係る第２のフレームに保持具を配置した眼鏡によれば、第２のフレームが、ばね性を有し、安定して眼鏡を固定できる。
【００２１】
請求項６に係る第２のフレームに保持具を配置した眼鏡によれば、第２のフレームの材質を最適に選択できる。
【００２２】
請求項７に係る第２のフレームに保持具を配置した眼鏡によれば、保持具の保持パットに永久磁石、赤外線発生物質を配置し、使用者の健康増進を行うことができる眼鏡を提供できる。
【００２３】
本発明によれば、安定に眼鏡の保持を行うことができ、使用者の鼻への負担を軽減することができ、かつ、保持具に永久磁石あるいは赤外線発生物質を付加して、使用者への健康増進を行うことも可能な第２のフレームに保持具を配置した眼鏡を提供することができる。
【図面の簡単な説明】
【００２４】
【図１】実施例１の第２のフレームに保持具を配置した眼鏡の図。
【図２】保持具の図であり、図２（ａ）は、固定された保持具、図２（ｂ）は、第２のフレーム上にて、移動可能な保持具の図である。
【図３】永久磁石を配置した保持具の図。
【図４】使用者が、実施例１の第２のフレームに保持具を配置した眼鏡を装着した状態の図。
【図５】従来の眼鏡の図。
【図６】使用者が、従来の眼鏡を装着した状態の図。
【発明を実施するための形態】
【００２５】
本発明の実施の形態による第２のフレームに保持具を配置した眼鏡は、左右のレンズ枠と、前記レンズ枠内に装着されたレンズと、左右のレンズ枠から、両側の蝶番を介して配置された左右の第１のフレーム１と、前記第１のフレーム１から分岐されて、眼鏡の内側の向きに設置された左右の第２のフレーム２と、前記左右の第２のフレーム２に固定された保持具５とで構成された第２のフレームに保持具を配置した眼鏡である。ここで、前記保持具は、保持パット部３と固定部４とで構成され、前記第２のフレーム２の保持具５が、使用者のほお骨、こめかみ３００に当たり、前記第１のフレームの耳かけ部１ａが、使用者の耳２００に保持されて、前記眼鏡が、固定される。
【００２６】
ここで、前記第２のフレームは、前記第１のフレームの蝶番９近傍の前部固定部２ａと、前記第１のフレームの耳かけ部の手前の後部固定部２ｂとで固定されている。また、前記第２のフレーム２と、前記第１のフレーム１との間隔は、５ｍｍ以上から、１５ｍｍ以下の範囲に設定されている。前記第２のフレーム２は、図１では、への字型形状であり、使用者の頭の形状、寸法に合わせた形状とするが、その他、丸みを持つ台形形状、角型形状、あるいは弓状の形状、あるいは三角形状であっても良い。
【００２７】
保持具５は、スライド可能な状態で固定されることも可能である。前記保持具５には、前記の第２のフレーム２の長手方向にて、位置、および回転角度が調整されるための固定機構４００が設けられる。
【００２８】
前記第２のフレームは、眼鏡の内側方向に向かって、ばね性を有したことを特徴とし、第２のフレームの材質は、弾性を持つプラスチック、あるいは、ステンレスなどの金属が選択される。
【００２９】
第２のフレームと、第１のフレームとの接合手段は、両者とも、金属材料の場合には、スポット溶接、あるいはろう付け、接着などの方法が用いられ、また、どちらかが金属材料で、他が樹脂材料の組み合わせの場合には、主として接着材を用いた接合方法が用いられる。
【００３０】
第２のフレームの保持された保治具５には、永久磁石、あるいは赤外線発生物質が配置され、これによって、使用者の顔の血流が改善され、健康増進に寄与することができる。
【００３１】
（実施例１）
図１は、実施例１の第２のフレームに保持具を配置した眼鏡の図である。
図２は、保持具５の図であり、図２（ａ）は、固定された保持具、図２（ｂ）は、第２のフレーム上にて、位置および角度を調整可能な保持具の図である。
【００３２】
図１にて、第２のフレームに保持具を配置した眼鏡は、左右のレンズ枠６と、前記レンズ枠６内に装着されたレンズ７と、左右のレンズ枠６から、両側の蝶番９を介して配置された左右の第１のフレーム１と、前記第１のフレーム１から分岐されて、眼鏡の内側の向きに設置された左右の第２のフレーム２と、前記左右の第２のフレームに固定された保持具５とで構成されている。ここで、前記保持具５は、保持パット部３と固定部４とで構成され、前記第２のフレーム２の保持具５が、使用者のほお骨、こめかみに当たり、前記第１のフレーム１の耳あて部１aが、使用者の耳に保持されて、前記眼鏡が、固定される。
【００３３】
図４は、使用者の頭部１００に、実施例１の第２のフレームに保持具を配置した眼鏡が、装着された状態の図である。前記第２のフレーム２の保持具５が、使用者のこめかみ３００に当たり、前記第１のフレーム１の耳あて部１ａが、使用者の耳部２００に保持されて、前記眼鏡が、固定される。ここで、実施例１の第２のフレームに保持具を配置した眼鏡は、従来の図５のめがねの鼻パット７１は、使用していないので、安定に眼鏡の保持を行うことができ、使用者の鼻への負担を軽減することができ、
【００３４】
（実施例２）
図２は、保持具の図であり、図２（ａ）は、固定された保持具、図２（ｂ）は、第２のフレーム上にて、移動可能な保持具の図である。実施例２の第２のフレームに保持具を配置した眼鏡では、図２（ｂ）は、第２のフレーム上にて、移動可能な保持具５を用いる。保持具５は、第２のフレーム２の軸（断面が円形である）上においてスライド可能であり、
直線方向の移動３０、回転方向の移動４０が行われる。前記直線方向の移動３０、回転方向の移動４０での固定は、保治具５の固定部４に配置された調整機構４００によって、
行われる。調整機構４００は、図２では、ねじ機構が選択されているが、これに限られない。
【００３５】
（実施例３）
図３は、永久磁石６００を配置した保持具５の図である。永久磁石６００は、保治具５の保持パット３の平面上に、接着などの手段によって、固定されている。図３では、永久磁石の着磁方向を径方向に設定されているが、これに限られない。例えば、厚み方向の着磁であってもよい。永久磁石の材質は、フェライト系磁石が用いられる。
また、永久磁石の変わりに、赤外線発生物質を使用して良い。これによって、使用者の顔の血流が改善され、健康増進に寄与することができる。
【産業上の利用可能性】
【００３６】
本発明の第２のフレームに保持具を配置した眼鏡
によれば、安定に眼鏡の保持を行うことができ、使用者の鼻への負担を軽減することができ、かつ保持具に、永久磁石あるいは赤外線発生物質を付加して、使用者への健康増進を行うことも可能な第２のフレームに保持具を配置した眼鏡を提供することができ、眼鏡産業の発展に寄与できる。
【符号の説明】
【００３７】
１  第１のフレーム
２  第２のフレーム
３  保持パット
４  固定部
５  保持具
６  レンズ枠
７  レンズ
８  ブリッジ
９  蝶番
４００  調整機構
１ａ  耳かけ部
２ａ  前部固定部
２ｂ  後部固定部
３０  直線方向の移動
４０  回転方向の移動
１１  レンズ枠
２１  ブリッジ
４１  フレーム
５１  蝶番
６１  レンズ
７１  鼻当てパット
８１  鼻当てパットの保持部
１００、１０１  使用者の頭部
２００    耳部
３００    こめかみ部分
５００    鼻部
６００    永久磁石
【図１】
2015206863.tif 000003
【図２】
2015206863.tif 000004
【図３】
2015206863.tif 000005
【図４】
2015206863.tif 000006
【図５】
2015206863.tif 000007
【図６】
2015206863.tif 000008
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
左右のレンズ枠と、前記レンズ枠内に装着されたレンズと、
左右のレンズ枠から、両側の蝶番を介して配置された左右の第１のフレームと、
前記第１のフレームから分岐されて、眼鏡の内側の向きに、設置された左右の第２のフレームと、
前記左右の第２のフレームに固定された保持具とで構成された第２のフレームに保持具を配置した眼鏡であって、
前記第２のフレームは、その片方の端部が、前記第１のフレームの蝶番近傍の前部固定部に固定され、他の端部が、前記第１のフレームの耳かけ部の手前の後部固定部に固定され、
前記第２のフレームの前記前部固定部と、前記後部固定部とを除いた長手方向の、全区間内において、第１のフレームと第２のフレームとの間隔が、５ｍｍ以上から、１５ｍｍ以下の範囲に設定され、
前記第２のフレームは、眼鏡の内側方向に向かって、ばね性を有し,
前記保持具は、保持パット部と固定部とで構成され、
前記第２のフレームの保持具が、使用者のほお骨、あるいは、こめかみに当たり、前記第１のフレームの耳かけ部が、使用者の耳に保持されて、前記眼鏡が、固定されたことを特徴とする第２のフレームに保持具を配置した眼鏡。
【請求項２】
前記第２のフレームに保持具が、スライド可能な状態で固定され、
前記保持具には、前記の第２のフレームの長手方向にて、位置、および回転角度が調整されるための調整機構が設けられたことを特徴とする請求項１記載の第２のフレームに保持具を配置した眼鏡。
【請求項３】
前記第２のフレームは、材質を、弾性を持つプラスチック、あるいは、弾性を持つステンレスなどの金属とすることを特徴とする請求項１または２項記載の第２のフレームに保持具を配置した眼鏡。
【請求項４】
前記保持具の保持パットに、永久磁石、あるいは赤外線発生物質が配置されたことを特徴とする請求項１ないし３のいずれか１項記載の第２のフレームに保持具を配置した眼鏡。
【手続補正２】
【補正対象書類名】明細書
【補正対象項目名】００１０
【補正方法】変更
【補正の内容】
【００１０】
本発明の請求項１に係る発明は、左右のレンズ枠と、前記レンズ枠内に装着されたレンズと、左右のレンズ枠から、両側の蝶番を介して配置された左右の第１のフレームと、前記第１のフレームから分岐されて、眼鏡の内側の向きに、設置された左右の第２のフレームと、前記左右の第２のフレームに固定された保持具とで構成された第２のフレームに保持具を配置した眼鏡であって、前記第２のフレームは、その片方の端部が、前記第１のフレームの蝶番近傍の前部固定部に固定され、他の端部が、前記第１のフレームの耳かけ部の手前の後部固定部に固定され、前記第２のフレームの前記前部固定部と、前記後部固定部とを除いた長手方向の、全区間内において、第１のフレームと第２のフレームとの間隔が、５ｍｍ以上から、１５ｍｍ以下の範囲に設定され、前記第２のフレームは、眼鏡の内側方向に向かって、ばね性を有し,前記保持具は、保持パット部と固定部とで構成され、
前記第２のフレームの保持具が、使用者のほお骨、あるいは、こめかみに当たり、前記第１のフレームの耳かけ部が、使用者の耳に保持されて、前記眼鏡が、固定されたことを特徴とする第２のフレームに保持具を配置した眼鏡である。

【手続補正３】
【補正対象書類名】明細書
【補正対象項目名】００１１
【補正方法】変更
【補正の内容】
【００１１】
本発明の請求項２に係る発明は、前記第２のフレームに保持具が、スライド可能な状態で固定され、前記保持具には、前記の第２のフレームの長手方向にて、位置、および回転角度が調整されるための調整機構が設けられたことを特徴とする請求項１記載の第２のフレームに保持具を配置した眼鏡である。
【手続補正４】
【補正対象書類名】明細書
【補正対象項目名】００１２
【補正方法】変更
【補正の内容】
【００１２】
本発明の請求項３に係る発明は、前記第２のフレームは、材質を、弾性を持つプラスチック、あるいは、弾性を持つステンレスなどの金属とすることを特徴とする請求項１または２項記載の第２のフレームに保持具を配置した眼鏡である。
【手続補正５】
【補正対象書類名】明細書
【補正対象項目名】００１３
【補正方法】変更
【補正の内容】
【００１３】
本発明の請求項４に係る発明は、前記保持具の保持パットに、永久磁石、あるいは赤外線発生物質が配置されたことを特徴とする請求項１ないし３のいずれか１項記載の第２のフレームに保持具を配置した眼鏡である。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項１に係る第２のフレームに保持具を配置した眼鏡によれば、第２のフレームを、案定して第１のフレームに固定することができ、第２のフレームに配置された保持具によって、安定に眼鏡の保持を行うことができ、使用者の鼻への負担を軽減することができる。

【手続補正１０】
【補正対象書類名】明細書
【補正対象項目名】００１８
【補正方法】変更
【補正の内容】
【００１８】
請求項２に係る第２のフレームに保持具を配置した眼鏡によれば、保治具の位置、回転角度を調整して、使用者のほお骨、あるいは、こめかみに適切に当たり、安定して眼鏡を、使用者に固定することができる。
【手続補正１１】
【補正対象書類名】明細書
【補正対象項目名】００１９
【補正方法】変更
【補正の内容】
【００１９】
請求項３に係る第２のフレームに保持具を配置した眼鏡によれば、第２のフレームの材質を最適に選択できる。
【手続補正１２】
【補正対象書類名】明細書
【補正対象項目名】００２０
【補正方法】変更
【補正の内容】
【００２０】
請求項４に係る第２のフレームに保持具を配置した眼鏡によれば、保持具の保持パットに永久磁石、赤外線発生物質を配置し、使用者の健康増進を行うことができる眼鏡を提供できる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
左右のレンズ枠と、前記レンズ枠内に装着されたレンズと、
左右のレンズ枠から、両側の蝶番を介して配置された左右の第１のフレームと、
前記第１のフレームから分岐されて、眼鏡の内側の向きに、設置された左右の第２のフレームと、
前記左右の第２のフレームに固定された保持具とで構成された第２のフレームに保持具を配置した眼鏡であって、
前記第２のフレームは、その片方の端部が、前記第１のフレームの蝶番近傍の前部固定部に固定され、他の端部が、前記第１のフレームの耳かけ部の手前の後部固定部に固定され、
前記第２のフレームの前記前部固定部と、前記後部固定部とを除いた長手方向の、全区間内において、第１のフレームと第２のフレームとの間隔が、５ｍｍ以上から、１５ｍｍ以下の範囲に設定され、
前記第２のフレームは、眼鏡の内側方向に向かって、ばね性を有し,
前記保持具は、保持パット部と固定部とで構成され、
前記第２のフレームの保持具が、使用者のほお骨、あるいは、こめかみに当たり、前記第１のフレームの耳かけ部が、使用者の耳に保持されて、前記眼鏡が、固定され、
前記第２のフレームは、材質を、弾性を持つプラスチック、あるいは、弾性を持つステンレスなどの金属とし、
前記第２のフレームに保持具が、スライド可能な状態で固定され、
前記保持具には、前記の第２のフレームの長手方向にて、位置、および回転角度が調整されるための調整機構が設けられたことを特徴とする第２のフレームに保持具を配置した眼鏡。
【請求項２】
前記保持具の保持パットに、永久磁石、あるいは赤外線発生物質が配置されたことを特徴とする請求項１記載の第２のフレームに保持具を配置した眼鏡。
【手続補正２】
【補正対象書類名】明細書
【補正対象項目名】００１０
【補正方法】変更
【補正の内容】
【００１０】
本発明の請求項１に係る発明は、左右のレンズ枠と、前記レンズ枠内に装着されたレンズと、左右のレンズ枠から、両側の蝶番を介して配置された左右の第１のフレームと、前記第１のフレームから分岐されて、眼鏡の内側の向きに、設置された左右の第２のフレームと、前記左右の第２のフレームに固定された保持具とで構成された第２のフレームに保持具を配置した眼鏡であって、前記第２のフレームは、その片方の端部が、前記第１のフレームの蝶番近傍の前部固定部に固定され、他の端部が、前記第１のフレームの耳かけ部の手前の後部固定部に固定され、前記第２のフレームの前記前部固定部と、前記後部固定部とを除いた長手方向の、全区間内において、第１のフレームと第２のフレームとの間隔が、５ｍｍ以上から、１５ｍｍ以下の範囲に設定され、前記第２のフレームは、眼鏡の内側方向に向かって、ばね性を有し,前記保持具は、保持パット部と固定部とで構成され、
前記第２のフレームの保持具が、使用者のほお骨、あるいは、こめかみに当たり、前記第１のフレームの耳かけ部が、使用者の耳に保持されて、前記眼鏡が、固定され、
前記第２のフレームは、材質を、弾性を持つプラスチック、あるいは、弾性を持つステンレスなどの金属とし、
前記第２のフレームに保持具が、スライド可能な状態で固定され、前記保持具には、前記の第２のフレームの長手方向にて、位置、および回転角度が調整されるための調整機構が設けられたことを特徴とする第２のフレームに保持具を配置した眼鏡である。
【手続補正３】
【補正対象書類名】明細書
【補正対象項目名】００１１
【補正方法】変更
【補正の内容】
【００１１】
本発明の請求項２に係る発明は、前記保持具の保持パットに、永久磁石、あるいは赤外線発生物質が配置されたことを特徴とする請求項１記載の第２のフレームに保持具を配置した眼鏡である。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１７
【補正方法】変更
【補正の内容】
【００１７】
請求項１に係る第２のフレームに保持具を配置した眼鏡によれば、第２のフレームを、案定して第１のフレームに固定することができ、第２のフレームに配置された保持具によって、保治具の位置、回転角度を調整して、使用者のほお骨、あるいは、こめかみに適切に当たり、安定に眼鏡の保持を行うことができ、使用者の鼻への負担を軽減することができる。
【手続補正７】
【補正対象書類名】明細書
【補正対象項目名】００１８
【補正方法】変更
【補正の内容】
【００１８】
請求項２に係る第２のフレームに保持具を配置した眼鏡によれば、保持具の保持パットに永久磁石、赤外線発生物質を配置し、使用者の健康増進を行うことができる。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】